(57)【要約】【課題】  ダンパーとトッププレートとの接着強度を確保するのが困難。  【解決手段】  碗形状をしたヨーク２の内部に順次積層される板状の磁石３およびトッププレート４から構成される磁気回路１と、磁気回路１のヨーク２の側壁の内周部とトッププレート４の外周部との間に形成される空隙内に配置されるボイスコイル５と、磁気回路１の前方でボイスコイル５を保持するサブパネル８と、サブパネル８の周辺に保持され、磁気回路１を保持するダンパー６の壁部６ａにボイスコイル５を巻き付け、ボイスコイル５の内側にダンパー６を配置した磁気駆動型アクチュエーターであって、ダンパー６を固定するトッププレート４の中央部位に貫通穴４ａまたは凹部を配設し、貫通穴４ａまたは凹部にダンパーの支持部６ｃを位置決めした後、支持部６ｃを覆うように接着剤７を塗布する。接着剤のトッププレート上への流れ込み防止、塗布量が安定化、接着強度が向上する。【選択図】  図２
2006121154.tif 000002
【特許請求の範囲】
【請求項１】
碗形状をしたヨークと、該ヨークの内部に順次積層される板状の磁石およびトッププレートから構成される磁気回路と、該磁気回路のヨークの側壁の内周部とトッププレートの外周部との間に形成される空隙内に配置されるボイスコイルと、前記磁気回路の前方でボイスコイルを保持するサブパネルと、該サブパネルの周辺に保持され、前記磁気回路を保持するダンパーに壁部を設け、該ダンパーの壁部にボイスコイルを巻き付け、ボイスコイルの内側にダンパーを配置した磁気駆動型アクチュエーターにおいて、前記ダンパーを固定するトッププレートの中央部位に、ダンパーを固定したことを特徴とする磁気駆動型アクチュエーター。
【請求項２】
前記ダンパーの固定方法は、前記トッププレートの中央部位に貫通穴または凹部を配設し、該貫通穴または凹部に前記ダンパーの支持部を位置決めした後、該支持部を覆うように接着剤を塗布することにより接着・固定したことを特徴とする請求項１記載の磁気駆動型アクチュエーター。
【発明の詳細な説明】
【技術分野】
【０００１】
本発明は、携帯電話などの移動通信機器に組み込まれ、パネルを振動させることにより、着信音や拡声により着信音を知らせ、また着信音（音声等）の再生に係わる磁気駆動型アクチュエーターに関する。
【背景技術】
【０００２】
従来、パソコン、携帯電話など各種の電子機器に、各種の情報を音声出力するためのスピーカが配設されている。最近、これらの電子機器の小型化に伴い、これに併設されるスピーカの小型化と高効率化が必要とされる。このような磁気駆動型アクチュエーターとして、本出願人が先に出願した磁気駆動型アクチュエーターが提案されている。（例えば、特許文献１参照）
【特許文献１】特願２００４−２７６２４３号（第３頁、図１〜図３）
【０００３】
上記した特許文献１に開示されている磁気駆動型アクチュエーターの構造は、図５〜図７において、磁気回路２０は、略碗形状をしたヨーク２１と、該ヨーク２１の内部に順次積み重ねられる平板状の磁石２２およびトッププレート２３から構成される。そして、この磁気回路２０と、ヨーク２１の側壁の内周部と平板状のトッププレート２３の外周部との間に形成される空隙（ギャップ）内にボイスコイル２４を配設するのに、前記磁気回路２０を保持する薄い金属板で構成されるダンパー２５にボイスコイル２４を巻き付けるための壁部２５ａを設ける。
【０００４】
前記ダンパー２５の壁部２５ａにボイスコイル２４を巻き付けるのに、ダンパー２５が嵌合する表面形状を有する巻き冶具（図示せず）にダンパー２５を被せ、ダンパー２５の壁部２５ａに、ボイスコイル２４を所定の巻数捲回することにより、ダンパー２５はボイスコイル２４の内側に配置される。このようにしてできたコイル付きダンパー２５のボスコイル２４を、磁気回路２０のギャップ内に落とし込むと同時に、ダンパー２５の中央部に形成された貫通穴２５ｃを通して面接着によって、トッププレート２３上に接着剤２６で接着・固定する。前記ダンパー２５の壁部２５ａに、樹脂管や紙管にボイスコイルを固定するフォーマーの機能を持たせたものである。
【０００５】
前記ボイスコイル２４は、磁気回路２０の前方に配置されサブパネル２７にダンパー２５を介して接続される。前記ボイスコイル２４の端末はスピーカ用のリードワイヤである錦糸線２８により、ダンパー２５の半田付け部２５ｂと、基板２９の半田付け部（パターン）２９ａとを半田３０で接続・固定する。前記サブパネル２７の下面側で、磁気回路２０を囲むようにして防塵機能を有する背面メッシュ３１を保持させる構成になっている。以上述べた構成の磁気駆動型アクチュエーターは、前記サブパネル２７の前面に両面テープ３２等により、電子機器、例えば、携帯電話等の液晶画面全面のアクリル板などのパネル３３に貼付する。
【発明の開示】
【発明が解決しようとする課題】
【０００６】
解決しようとする問題点は、上記した特許文献１に開示した磁気駆動型アクチュエーターの構造において、ダンパーをボイスコイルの内部に配設し磁気回路のトッププレート上に接着・固定している。ダンパー中央の貫通穴を通してトッププレートとの面接着によって固定されているため、磁気回路の共振点（磁気回路振幅最大）において、重量の大きな磁気回路との十分な接着強度を確保することが難しかった。また、接着剤の塗布量のバラツキ並びに、トッププレート上への接着剤の漏れや、毛細管現象による接着剤の流れ込みによって接着状態が一様ではなく、音響特性が不安手、対振動性並びに対衝撃性の信頼性に乏しい。などの問題があった。
【０００７】
本発明は、上述の欠点を解消するもので、その目的は、ダンパーをボイスコイルの内部に配設し磁気回路のトッププレート上に接着・固定するのに、接着剤の塗布量と塗布位置を安定化させ、接着剤のトッププレート上への流れ込みを防止させ、ダンパーと磁気回路組み込みの位置精度と作業性を向上させることにより、接着強度が確保され、信頼性に優れた、安価な磁気駆動型アクチュエーターを提供するものである。
【課題を解決するための手段】
【０００８】
上記目的を達成するために、本発明における磁気駆動型アクチュエーターは、碗形状をしたヨークと、該ヨークの内部に順次積層される板状の磁石およびトッププレートから構成される磁気回路と、該磁気回路のヨークの側壁の内周部とトッププレートの外周部との間に形成される空隙内に配置されるボイスコイルと、前記磁気回路の前方でボイスコイルを保持するサブパネルと、該サブパネルの周辺に保持され、前記磁気回路を保持するダンパーに壁部を設け、該ダンパーの壁部にボイスコイルを巻き付け、ボイスコイルの内側にダンパーを配置した磁気駆動型アクチュエーターにおいて、前記ダンパーを固定するトッププレートの中央部位に、ダンパーを固定したことを特徴とするものである。
【０００９】
また、前記ダンパー接着・固定手段は、前記トッププレートの中央部位に貫通穴または凹部を配設し、該貫通穴または凹部に前記ダンパーの支持部を位置決めした後、該支持部を覆うように接着剤を塗布することにより接着・固定したことを特徴とするものである。
【発明の効果】
【００１０】
本発明の磁気駆動型アクチュエーターは、磁気回路のトッププレート上にダンパーを接着・固定するのに、十分な接着強度を確保することができ、耐振動性並びに耐衝撃性が向上し、さらに音響特性の安定化した磁気駆動型アクチュエーターを提供することができる。
【発明を実施するための最良の形態】
【００１１】
本発明の磁気駆動型アクチュエーターについて、図面に基づいて説明する。
【実施例】
【００１２】
図１〜図４は、本発明の実施例に係わり、図１は、磁気駆動型アクチュエーターの平面図、図２は、図１の磁気駆動型アクチュエーターのＡ−Ａ線断面図、図３は、図１の磁気駆動型アクチュエーターのＢ−Ｂ線断面図、図４は、図１の磁気駆動型アクチュエーターの背面図である。図１〜図４において、磁気回路１は、従来例と同様に、略碗形状をしたヨーク２と、該ヨーク２の内部に順次積み重ねられる平板状の磁石３およびトッププレート４から構成される。ここで、トッププレート４の中央部位に、後述するダンパー６の内周の支持部６ｃを接着・固定するための貫通穴４ａまたは凹部を配設する。そして、この磁気回路１と、ヨーク２の側壁の内周部と平板状のトッププレート４の外周部との間に形成される空隙（ギャップ）内にボイスコイル５を配設するのに、前記磁気回路１を保持する薄い金属板で構成されるダンパー６にボイスコイル５を巻き付けるための壁部６ａを設ける。
【００１３】
前記ダンパー６の壁部６ａにボイスコイル５を巻き付けるのに、ダンパー６が嵌合する表面形状を有する巻き冶具（図示せず）にダンパー６を被せ、ダンパー６の壁部６ａに、ボイスコイル５を所定の巻数捲回することにより、ダンパー６はボイスコイル５の内側に配置される。このようにしてできたコイル付きダンパー６のボスコイル５を、磁気回路１のギャップ内に落とし込むと同時に、前記トッププレート４の貫通穴４ａに、前記ダンパー６の支持部６ｃを位置決めした後、該支持部６ｃを覆うように接着剤７を塗布する。前記トッププレート４に配設した貫通穴４ａは、前記ダンパー６に位置の支持と接着剤７の溜まりの役割を果たし、作業上並びに、接着強度の向上に寄与する。
【００１４】
前記ボイスコイル５は、磁気回路１の前方に配置されサブパネル８にダンパー６を介して接続される。前記ボイスコイル５の端末はスピーカ用のリードワイヤである錦糸線９により、ダンパー６の半田付け部６ｂと、基板１０の半田付け部（パターン）１０ａとを半田１１で接続・固定する。前記サブパネル８の下面側で、磁気回路１を囲むようにして防塵機能を有する背面メッシュ１２を保持させる構成になっている。以上述べた構成の磁気駆動型アクチュエーターは、前記サブパネル８の前面に両面テープ１３等により、電子機器、例えば、携帯電話等の液晶画面全面のアクリル板などのパネル１４に貼付する。ボイスコイル５の振動がサブパネル８に伝達され、このサブパネル８から電子機器のパネル３１４に伝達される。
【００１５】
以上述べた構成の磁気駆動型アクチュエーターの作用・効果について説明する。本発明の磁気駆動型アクチュエーターは、ダンパー６を固定するトッププレート４の中央部位に形成された貫通穴４ａまたは凹部に、ダンパー６の内周の支持部６ｃが位置決め支持された状態で、接着剤７が塗布されて固定される。貫通穴４ａまたは凹部が接着剤７の溜まり溝の役割を果たし、作業上並びに接着強度の向上に寄与する。接着剤７の塗布のバラツキがなく安定化する。また、接着剤７のトッププレート４上への流れ込み防止され、さらにダンパー６と磁気回路１の組み込みの位置精度と作業性が向上する。従って、接着強度が向上、耐振動性並びに耐衝撃性が向上および音響特性が安定する。
【図面の簡単な説明】
【００１６】
【図１】本発明の実施例に係わる磁気駆動型アクチュエーターの平面図である。
【図２】図１の磁気駆動型アクチュエーターのＡ−Ａ線側面図である。
【図３】図１の磁気駆動型アクチュエーターのＢ−Ｂ線側面図である。
【図４】図１の磁気駆動型アクチュエーターの背面図である。
【図５】従来の磁気駆動型アクチュエーターの平面図である。
【図６】図５の磁気駆動型アクチュエーターのＡ−Ａ線断面図である。
【図７】図５の磁気駆動型アクチュエーターのＢ−Ｂ線側面図である。
【符号の説明】
【００１７】
１  磁気回路
２  ヨーク
３  磁石
４  トッププレート
４ａ  貫通穴
５  ボイスコイル
６  ダンパー
６ａ  壁部
６ｃ  支持部
７  接着剤
８  サブパネル
９  錦糸線
１０  基板
１１  半田
１２  背面メッシュ
【図１】
2006121154.tif 000003
【図２】
2006121154.tif 000004
【図３】
2006121154.tif 000005
【図４】
2006121154.tif 000006
【図５】
2006121154.tif 000007
【図６】
2006121154.tif 000008
【図７】
2006121154.tif 000009